(57)【要約】【課題】被洗浄面の細かな凹凸部分の汚れを取り除き、筋状の洗浄残りの発生が無い高い洗浄機能を有すると共に、洗車時における洗浄音の静音化を図ることができる洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシ１において、前記洗車機用洗浄ブラシ１は、ブラシ片１６、１７、１８、１９、及び回転軸３を有し、前記ブラシ片１６、１７、１８、１９は開放側端部にスリット６を有して前記回転軸３の外周部に形成されてあると共に、前記スリット６により分割された細分割部７を有し、前記スリット６は前記回転軸３の軸心（Ｃ．Ｌ）の垂線（Ｐ．Ｌ）にたいして、前記軸心（Ｃ．Ｌ）の長手方向に傾斜角度θ１、θ２、θ３、θ４、θ５、θ６、θ７、θ８を有して形成されてあるものである。【選択図】      図１
2008018793.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に形成されてあると共に、前記スリットにより分割された細分割部を有し、前記スリットは前記回転軸の軸心の垂線にたいして、前記軸心の長手方向に傾斜角度を有して形成されてあることを特徴とする洗車機用洗浄ブラシ。
【請求項２】
請求項１記載の構成よりなる洗車機用洗浄ブラシにおいて、複数の前記ブラシ片が被洗浄面に当接する時に、前記洗車機用洗浄ブラシは、一回転する間に、傾斜角度の異なる前記スリットにより分割された細分割部が当接するよう形成されてあることを特徴とする洗車機用洗浄ブラシ。
【請求項３】
請求項１から２記載の構成よりなる洗車機用洗浄ブラシにおいて、複数の前記ブラシ片が被洗浄面に当接する時に、前記洗車機用洗浄ブラシは、一回転する間に、傾斜角度の方向が異なる前記スリットにより分割された細分割部が当接するよう形成されてあることを特徴とする洗車機用洗浄ブラシ。
【請求項４】
請求項１から３記載の構成よりなる洗車機用洗浄ブラシにおいて、複数の前記ブラシ片が被洗浄面に当接する時に、前記洗車機用洗浄ブラシは、一回転する間に、前記回転軸の軸心の垂線にたいして、前記軸心の長手方向の一方向に傾斜角度を有するブラシ片、及び前記回転軸の軸心の垂線にたいして、前記軸心の長手方向の他の方向に傾斜角度を有するブラシ片が当接するよう形成されてあることを特徴とする洗車機用洗浄ブラシ。
【請求項５】
請求項１から４記載の構成よりなる洗車機用洗浄ブラシにおいて、被洗浄面に当接する前記細分割部の端部形状は少なくとも一部に曲線形状が形成されてあることを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項１から５のいずれか１項に記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシ、及びその洗浄ブラシを搭載した洗車機に関しては、使用目的に応じて、さまざまな改良がなされ、例えば、回転軸の周囲に合成樹脂発泡体製の洗浄シート片が多数取り付けられており、しかも各洗浄シート片の自由端側がスリットで細分された自動洗車ブラシにおいて、スリットが深浅交互に形成されていると共に、各スリットの内端に連なって円孔が形成されていることを特徴とする自動洗車ブラシが、実用新案登録第３０７１３２６号に開示されてある。
【０００３】
また、無数の独立気泡を有する合成樹脂発泡体よりなるブロックをスライスして形成した複数のシート状洗浄体の基端部が回転体の外周にその回転軸線に略沿うように取付けられていて、その各洗浄体の自由端側が該回転体の略放射方向に延びており、前記各洗浄体の自由端部には、それを複数のスリットにより細分化して、互いに平行に並ぶ横断面方形状の複数のブラシ毛が形成されており、その各ブラシ毛の、前記ブロックのスライス面で形成される平坦な側面が、該各ブラシ毛の先端側から見て前記回転体の回転軸線に対し傾斜するように、前記各洗浄体基端部の前記回転体に対する取付位置が設定されていることを特徴とする洗車機が、特開２００２−３１６６２２号公報に開示されてある。
【０００４】
【特許文献１】実用新案登録第３０７１３２６号
【特許文献２】特開２００２−３１６６２２号公報
【発明の開示】
【発明が解決しようとする課題】
【０００５】
従来の洗車機用洗浄ブラシ、及びその洗浄ブラシを搭載した洗車機は、例えば、上記の如くの特徴を有する技術が開示されてあるが、実用新案登録第３０７１３２６号に開示されてある技術においては、スリットにより細分割された細分片が、被洗浄面である車体に当接すると、車体への当たりが柔らかくなり、車体への傷の付着が防止されると共に、車体の細かな凹凸内の汚れも取り除きやすくなるものの、スリットは洗浄シート片の縁部にたいして略平行に形成され、洗浄シート片は回転軸の外周部に起立状態となるよう取り付けられているので、細分片は車体にたいして垂直に当接し、回転軸の回転に伴って、直進しながら汚れを除去する。その為、スリットを介して隣り合わせの細分片と細分片の間の部分、即ちスリットによる切り込み部分は車体と接触しないので、前記切り込み部分が通過した跡が筋状の洗浄残りになるという課題を有していた。また、細分片の全面が、車体に略同時に当接する為、洗車時における洗浄音が増大するという課題も有していた。
【０００６】
図９を用いて、上記従来技術における、汚れの除去の仕組みについて詳述する。図９（Ａ）、及び図９（Ｂ）は、従来技術における汚れの除去を示す部分拡大平面図である。図９（Ａ）において、洗浄シート片６２は、縁部６９にたいして略平行にスリット６６が深浅交互に形成されてあると共に、各スリット６６の内端に連なって円孔６３が形成されてある。前記洗浄シート片６２が、汚れ６８の付着した車体６５に当接し、図示しない回転軸の回転に伴って、矢印Ｂの方向に直進して移動すると、図９（Ｂ）の如く、スリット６６により形成された細分片６７は、縁部６９にたいして略平行に形成されている為、洗浄シート片６２と同様に矢印Ｂの方向に直進して移動する。細分片６７が車体６５と当接した跡は、車体６５の細かな凹凸内の汚れ６８も取り除き、汚れ６８が除去されるが、スリット６６を介して隣り合わせの細分片６７と細分片６７の間、即ちスリット６６による切り込み部分は車体６５と接触しないので、汚れ６８が筋状となって車体６５の表面に残るのである。
【０００７】
また、特開２００２−３１６６２２号公報に開示されてある技術においては、スリットにより細分化されたブラシ毛の平坦な側面が、各ブラシ毛の先端側から見て回転体の回転軸線にたいして傾斜するようにシート状洗浄体が回転体に取り付けられている為、ブラシ毛は基端部側から徐々に自由端部側にかけて被洗浄面である車体に当接するので、洗車時における洗浄音の低減を図ることはできるものの、ブラシ毛は車体にたいして垂直に当接し、直進して洗浄軌跡を描く。その為、スリットを介して隣り合わせのブラシ毛とブラシ毛の間の部分、即ちスリットによる切り込み部分は車体と接触しないので、上記従来技術と同様に、前記切り込み部分が通過した軌跡が筋状の洗浄残りとなり、高い洗浄機能を発揮できないという課題を有していた。
【０００８】
本発明は、上記従来の課題を解決するもので、被洗浄面の細かな凹凸部分の汚れを取り除き、筋状の洗浄残りの発生が無い高い洗浄機能を有すると共に、洗車時における洗浄音の静音化を図ることができる洗車機用洗浄ブラシ、及びその洗車機用洗浄ブラシを搭載した洗車機を提供することを目的としている。
【課題を解決するための手段】
【０００９】
前記従来の課題を解決する為に、本発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に形成されてあると共に、前記スリットにより分割された細分割部を有し、前記スリットは前記回転軸の軸心の垂線にたいして、前記軸心の長手方向に傾斜角度を有して形成されてあるもので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止される。
【００１０】
また、前記細分割部は、スリットが傾斜角度を有して形成されてある為、全面が車体に略同時に当接するのではなく、回転軸側から車体にたいして線接触にて当接し、徐々に面接触にて車体に連続的に当接していくので、洗車時における洗浄音の静音化につながる。
【００１１】
さらに、本発明の洗車機は、駆動源と、被洗浄面に散布する洗浄剤及び洗浄水を噴出させるノズルと、洗浄後の被洗浄面を乾燥させる乾燥手段を備えると共に、請求項１から５のいずれか１項に記載の洗車機用洗浄ブラシを搭載したもので、被洗浄面である車体の細かな凹凸部分の汚れを取り除くと共に、筋状の洗浄残りの発生が無い高い洗浄機能を有する洗車機用洗浄ブラシが搭載されてある。その為、洗車機は、駆動源により洗車機用洗浄ブラシを低速回転に設定すると共に、洗浄時間を短時間に設定した場合においても、洗浄残りの無い高い洗浄機能が発揮される。
【発明の効果】
【００１２】
本発明の洗車機用洗浄ブラシは、ブラシ片に形成されたスリットが、回転軸の軸心の垂線にたいして、前記軸心の長手方向に傾斜角度を有しているので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止され、高い洗浄機能を発揮することができる。
【００１３】
また、前記細分割部は、スリットが傾斜角度を有して形成されてある為、回転軸側から車体にたいして線接触にて当接し、徐々に面接触にて車体に連続的に当接していくので、洗車時における洗浄音の静音化を図ることができる。
【発明を実施するための最良の形態】
【００１４】
第１の発明は、自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に形成されてあると共に、前記スリットにより分割された細分割部を有し、前記スリットは前記回転軸の軸心の垂線にたいして、前記軸心の長手方向に傾斜角度を有して形成されてあるもので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止され、高い洗浄機能を発揮することができる。
【００１５】
また、前記細分割部は、スリットが傾斜角度を有して形成されてある為、回転軸側から車体にたいして線接触にて当接し、徐々に面接触にて車体に連続的に当接していくので、洗車時における洗浄音の静音化を図ることができる。
【００１６】
第２の発明は、特に、第１の発明の洗車機用洗浄ブラシにおいて、複数の前記ブラシ片が被洗浄面に当接する時に、前記洗車機用洗浄ブラシは、一回転する間に、傾斜角度の異なる前記スリットにより分割された細分割部が当接するよう形成されてあるもので、異なる傾斜角度を有するスリットにより分割された細分割部が、順次、被洗浄面である車体に当接する。その為、細分割部は、車体に付着している汚れにたいして、異なる角度から順次、連続的に当接するので、汚れを除去しやすくなり、洗浄機能が向上する。
【００１７】
第３の発明は、特に、第１から第２の発明の洗車機用洗浄ブラシにおいて、複数の前記ブラシ片が被洗浄面に当接する時に、前記洗車機用洗浄ブラシは、一回転する間に、傾斜角度の方向が異なる前記スリットにより分割された細分割部が当接するよう形成されてあるもので、傾斜角度の方向が異なる前記スリットにより分割された細分割部が順次、被洗浄面である車体に当接する。その為、細分割部は、車体に付着している汚れにたいして、異なる方向から順次、連続的に当接するので、汚れを除去しやすくなり、洗浄機能が一段と向上する。
【００１８】
第４の発明は、特に、第１から第３の発明の洗車機用洗浄ブラシにおいて、複数の前記ブラシ片が被洗浄面に当接する時に、前記洗車機用洗浄ブラシは、一回転する間に、前記回転軸の軸心の垂線にたいして、前記軸心の長手方向の一方向に傾斜角度を有するブラシ片、及び前記回転軸の軸心の垂線にたいして、前記軸心の長手方向の他の方向に傾斜角度を有するブラシ片が当接するよう形成されてあるもので、スリットにより分割されたブラシ片の複数の細分割部に加えて、ブラシ片も被洗浄面である車体にたいして斜向した洗浄軌跡を描きながら、順次、連続的に当接することが可能である為、洗車時における洗浄機能と静音化が大幅に向上する。
【００１９】
第５の発明は、特に、第１から第４の発明の洗車機用洗浄ブラシにおいて、被洗浄面に当接する前記細分割部の端部形状は少なくとも一部に曲線形状が形成されてあるもので、スリットにより分割された細分割部は曲線部を有する。その為、細分割部に形成された曲線部は、スコップの曲線部分が土等を掘るが如く、車体に付着している汚れを掻き取るので、洗浄機能が飛躍的に向上する。
【００２０】
第６の発明は、駆動源と、被洗浄面に散布する洗浄剤及び洗浄水を噴出させるノズルと、洗浄後の被洗浄面を乾燥させる乾燥手段を備えると共に、第１の発明から第５の発明のいずれか１項に記載の洗車機用洗浄ブラシを搭載した洗車機としたもので、車体の細かな凹凸部分の汚れを取り除くと共に、筋状の洗浄残りの発生が無い高い洗浄機能を有する洗車機用洗浄ブラシが搭載されてある。その為、洗車機は、駆動源により洗車機用洗浄ブラシを低速回転に設定すると共に、洗浄時間を短時間に設定した場合においても、洗浄残りの無い高い洗浄機能が発揮されるので、優れた洗浄性を有する洗車機を提供することができる。
【００２１】
以下、本発明の実施の形態について図面を参照しながら説明する。なお、この実施の形態により本発明が限定されるものではない。
【００２２】
（実施例１）
図１（Ａ）は、本発明の洗車機用洗浄ブラシを前面側から見た斜視図、図１（Ｂ）は、図１（Ａ）の断面図、図２（Ａ）、図２（Ｂ）、図２（Ｃ）、及び図２（Ｄ）は、本発明の洗車機用洗浄ブラシのブラシ片を展開した平面図、図３（Ａ）、及び図３（Ｂ）は、他の実施の形態におけるブラシ片を展開した平面図、図４（Ａ）は、ブラシ片の材質の部分拡大図、図４（Ｂ）、及び図４（Ｃ）は、ブラシ片の材質を前面側から見た斜視図、図５（Ａ）、及び図５（Ｂ）は、本発明の洗車機用洗浄ブラシにおける汚れの除去を示す部分拡大平面図、図７（Ａ）、図７（Ｂ）、及び図７（Ｃ）は、他の実施の形態における洗車機用洗浄ブラシの正面図、図７（Ｄ）、及び図７（Ｅ）は、他の実施の形態におけるブラシ片の正面図である。
【００２３】
図１（Ａ）、及び図１（Ｂ）において、洗車機用洗浄ブラシ１は、長手方向の略中央部にて折り合わされたブラシ片１６、１７、１８、１９が、アルミニウム等の金属材料からなる略円筒形状の回転軸３の外周等分４箇所に設けられた突起状の溝部５に挿入され、止め金具４を介してリベット１０にて固定して形成されてある。ブラシ片１６、１７、１８、１９は、洗浄側近傍の開放側端部にスリット６が、回転軸３の軸心（Ｃ．Ｌ）の垂線（Ｐ．Ｌ）にたいして、軸心（Ｃ．Ｌ）の長手方向に異なる傾斜角度θ１、θ２、θ３、θ４、θ５、θ６、θ７、θ８を有して形成されてあり、スリット６により分割された複数の細分割部７を有する。なお、傾斜角度θ１、θ２、θ３、θ４、θ５、θ６、θ７、θ８は９０°未満の角度にて形成されてある。また、ブラシ片１６、１７、１８、１９の縁部９は、回転軸３の軸心（Ｃ．Ｌ）の垂線（Ｐ．Ｌ）にたいして、略平行となるよう回転軸３の溝部５に配設されてある。なお、回転軸３の外周面に設けられる溝部５は、等分４箇所以外にも、６箇所、８箇所、１２箇所等、使用目的に応じて、適時、設定できる。
【００２４】
次に、図２（Ａ）から図２（Ｄ）を用いて、ブラシ片１６、１７、１８、１９について詳述する。図２（Ａ）において、ブラシ片１６は、概長板形状にて形成されてあり、長手方向の略中央部には、回転軸３の溝部５に止め金具４を介して、リベット１０にて装着される為の取付け穴８を有する。洗浄側近傍の開放側となる端部には、長さの異なる段差状の複数のスリット６が形成されてあると共に、スリット６は縁部９にたいして異なる傾斜角度θ１、θ２を有し、スリット６により分割された細分割部７が形成されてある。図２（Ｂ）において、ブラシ片１７は、図２（Ａ）に示したブラシ片１６と、傾斜角度θ３、θ４が異なる以外は同一であり、傾斜角度θ３と傾斜角度θ４は異なる角度にて形成されてある。図２（Ｃ）において、ブラシ片１８は、図２（Ａ）、及び図２（Ｂ）に示したブラシ片１６、１７と、傾斜角度θ５、θ６が異なる以外は同一であり、傾斜角度θ５と傾斜角度θ６は異なる角度にて形成されてある。図２（Ｄ）において、ブラシ片１９は、図２（Ａ）、図２（Ｂ）、及び図２（Ｃ）に示したブラシ片１６、１７，１８と、傾斜角度θ７、θ８が異なる以外は同一であり、傾斜角度θ７と傾斜角度θ８は異なる角度にて形成されてある。なお、傾斜角度の大きさは、θ１＞θ２＞θ３＞θ４＞θ５＞θ６＞θ７＞θ８の順に規則的に形成されてあるが、不規則に形成しても構わない。また、全ての傾斜角度を略同一角度に設定してもよいし、部分的に略同一角度に設定してもよい。さらに、本実施例では、被洗浄面である車体に当接する一片のブラシ片１６に設けられた複数のスリット６の傾斜角度θ１を全て略同一角度にて設定しているが、全て異なる角度、あるいは部分的に異なる角度に形成しても何ら支障は無い。傾斜角度θ２からθ８に関しても前記傾斜角度θ１と同様に、ブラシ片１６、１７、１８，１９ごとに全て略同一角度にて設定しているが、全て異なる角度、あるいは部分的に異なる角度に形成してもよい。
【００２５】
ブラシ片１６、１７、１８、１９の縁部９は、前記の如く、回転軸３の軸心（Ｃ．Ｌ）の垂線（Ｐ．Ｌ）にたいして、略平行となるよう回転軸３の溝部５に配設される為、スリット６は、ブラシ片１６、１７、１８、１９の縁部９にたいして傾斜角度θ１、θ２、θ３、θ４、θ５、θ６、θ７、θ８を有すると同時に、回転軸３の軸心（Ｃ．Ｌ）の垂線（Ｐ．Ｌ）にたいして、軸心（Ｃ．Ｌ）の長手方向にも傾斜角度θ１、θ２、θ３、θ４、θ５、θ６、θ７、θ８を有することになる。なお、スリット６の内端に円孔を形成してもよい。円孔が形成されてある場合、スリット６の内端からの裂けを防止することができる。
【００２６】
なお、洗車機用洗浄ブラシ１に用いられるブラシ片１６、１７、１８、１９は、前記の如くの概長板形状以外にも、図３（Ａ）の如く、概鼓状のブラシ片９２、あるいは図３（Ｂ）の如く、概太鼓状のブラシ片１０２等を用いてもよい。
【００２７】
図３（Ａ）において、ブラシ片９２は、洗浄側近傍の開放側の端部に段差状のスリット９６により分割された複数の細分割部９７が形成されてある。スリット９６は、ブラシ片９２の長手方向の一方の縁部９９にたいしては、傾斜角度θ１５、θ１６を有するものの、ブラシ片９２の形状が概鼓状である為、他方の縁部９９にたいしては略平行に形成されてある。傾斜角度θ１５と、傾斜角度θ１６は略同一角度にて形成されてあるが、異なる角度にて設定してもよい。ブラシ片９２は、長手方向の略中央部にて折り合わされ、回転軸３の溝部５に、取付け穴９８、及び止め金具４を介してリベット１０にて装着され、スリット９６は回転軸３の軸心（Ｃ．Ｌ）の垂線（Ｐ．Ｌ）にたいして、軸心（Ｃ．Ｌ）の長手方向に傾斜角度θ１５、θ１６を有して、洗車機用洗浄ブラシ１として形成される。なお、ブラシ片９２を、長手方向の略中央部にて折り合わせると、スリット９６は、折り合わされたブラシ片９２の相対する面に形成されたスリット９６と互いに逆の方向を向くことになる。
【００２８】
図３（Ｂ）において、ブラシ片１０２は、洗浄側近傍の開放側の端部に段差状のスリット１０６により分割された複数の細分割部１０７が形成されてある。スリット１０６は、ブラシ片１０２の長手方向の一方の縁部１０９にたいしては、傾斜角度１８０°−θ１７、１８０°−θ１８を有するものの、ブラシ片１０２の形状が概太鼓状である為、他方の縁部１０９にたいしては略平行に形成されてある。傾斜角度θ１７と、傾斜角度θ１８は略同一角度にて形成されてあるが、異なる角度にて設定してもよい。ブラシ片１０２は、長手方向の略中央部にて折り合わされ、回転軸３の溝部５に、取付け穴１０８、及び止め金具４を介してリベット１０にて装着され、スリット１０６は回転軸３の軸心（Ｃ．Ｌ）の垂線（Ｐ．Ｌ）にたいして、軸心（Ｃ．Ｌ）の長手方向に傾斜角度θ１７、θ１８を有して、洗車機用洗浄ブラシ１として形成される。なお、ブラシ片１０２を、長手方向の略中央部にて折り合わせると、スリット１０６は、折り合わされたブラシ片１０２の相対する面に形成されたスリット１０６と互いに逆の方向を向くことになる。
【００２９】
ブラシ片９２、１０２は、上記の如く、長手方向の略中央部にて折り合わせると、スリット９６、１０６は、折り合わされたブラシ片９２、１０２の相対する面に形成されたスリット９６、１０６と互いに逆の方向を向くので、スリット９６、１０６により分割された複数の細分割部９７、１０７も、相対する面に形成された細分割部９７、１０７と互いに逆の方向を向くことになる。その為、複数のブラシ片９２、１０２が被洗浄面である車体に当接する時に、洗車機用洗浄ブラシ１は、一回転する間に、傾斜角度θ１５、θ１６、θ１７、θ１８の方向が異なるスリット９６、１０６により分割された細分割部９７、１０７が当接するので、細分割部９７、１０７は、車体に付着している汚れにたいして、異なる方向から順次、連続的に当接し、汚れを除去しやすくなり、洗浄機能が一段と向上する。
【００３０】
次に、図４を用いて、ブラシ片１６、１７、１８、１９に用いられる材質について、いくつか述べる。
【００３１】
図４（Ａ）において、ブラシ片１６、１７、１８、１９は、起毛部１５を有する不織布１１及び極微細な気泡１４を有する多孔質化されたポリウレタンよりなる二重構造体の平板形状にて形成されてあり、次の手順にて、製造される。最初に、複数本の繊維１２を、平板状に集積させて布状体を形成し、前記布状体を複数枚、重ね合わせた後、特殊な針を突き刺して、３次元に絡合された不織布１１を形成する。前記の製造方法は、一般的には、ニードルパンチングと呼ばれている。次いで、不織布１１を、ポリウレタン溶液中に含浸させることにより、不織布１１に、ポリウレタン溶液を充填させる。次に、ポリウレタン溶液を充填させた不織布１１を、水中に浸漬させると共に、二酸化炭素を水中に注入することにより、炭酸発泡させ、不織布１１、及び極微細な気泡１４を有する多孔質化されたポリウレタンの基部１３よりなる二重構造体が得られる。次に、前記二重構造体の片面を、研磨紙等を用いて研磨処理することにより、起毛部１５を形成する。繊維１２の材質としては、ポリエステル、ナイロン、ポリプロピレン、ウレタン弾性糸とも呼ばれているスパンデックス等が単独使用、あるいは併用されている。上記材質を使用した場合においては、スリット６を回転軸３の軸心（Ｃ．Ｌ）の垂線（Ｐ．Ｌ）にたいして、軸心（Ｃ．Ｌ）の長手方向に傾斜角度θ１、θ２、θ３、θ４、θ５、θ６、θ７、θ８を有して形成することにより、不織布１１が汚れを捕捉すると共に、基部１３にて汚れは掻き出される。その為、極めて高い洗浄機能が発揮される。
【００３２】
図４（Ｂ）において、ブラシ片１６、１７、１８、１９は、繊維２２を有する平板形状の不織布２１からなる。不織布２１は、繊維２２をニードルパンチング、水流絡合、熱圧着、ケミカルバインダー等の方法により絡合して形成されてあり、従来から不織布２１の製造に用いられている製造方法であれば、特に限定されるものではない。繊維２２の材質としては、ポリエステル、ナイロン、ポリプロピレン、ポリエチレン、アクリル、フッ素等の合成樹脂繊維、綿、麻、絹、レーヨン、セルロース等の天然繊維が単独使用、あるいは併用されている。また、前記不織布２１以外にも、繊維２２を平織、綾織等により織布として形成してもよいし、あるいは繊維２２を編んで編布として形成して用いてもよい。また、各種極細繊維も採用できる。上記材質を使用した場合においては、スリット６を回転軸３の軸心（Ｃ．Ｌ）の垂線（Ｐ．Ｌ）にたいして、軸心（Ｃ．Ｌ）の長手方向に傾斜角度θ１、θ２、θ３、θ４、θ５、θ６、θ７、θ８を有して形成することにより、絡合して形成された不織布２１が汚れを捕捉すると共に、微細な汚れであっても捕捉することができる。その為、極めて高い洗浄機能が発揮される。
【００３３】
図４（Ｃ）において、ブラシ片１６、１７、１８、１９は、無数の気泡２４を有する平板形状の合成樹脂発泡体２３として形成されてある。合成樹脂発泡体２３は、合成樹脂に発泡剤を添加し、加熱して合成樹脂を発泡させて直方体の発泡体を得た後、所定の厚みにスライスすることにより形成される。合成樹脂としては、ポリエチレン樹脂、ポリプロピレン樹脂、エチレン酢酸ビニル樹脂、エチレンメチルアクリレート樹脂、エチレンエチルアクリレート樹脂、エチレンブチルアクリレート樹脂等のポリオレフィン系樹脂が用いられる。また、発泡剤としては、重炭酸ナトリウム、重炭酸アンモニウム、アゾジカルボンアミド、ベンゼンスルホニルヒドラジド、ジニトロソペンタメチレンテトラミン等の熱分解型発泡剤が好適に用いられる。また、被洗浄面である車体に傷を付着させないという観点から、合成樹脂発泡体２３の発泡倍率は５倍から１５倍、厚みは１．５ｍｍから３ｍｍに調整されるのが好ましい。上記材質を使用した場合においては、スリット６を回転軸３の軸心（Ｃ．Ｌ）の垂線（Ｐ．Ｌ）にたいして、軸心（Ｃ．Ｌ）の長手方向に傾斜角度θ１、θ２、θ３、θ４、θ５、θ６、θ７、θ８を有して形成することにより、汚れを擦り取ると共に、強い押し付け力にて車体に当接させることができる。また、合成樹脂発泡体２３は耐摩耗性に優れている為、高い耐久性を有することができる。
【００３４】
なお、ブラシ片１６、１７、１８、１９に用いられる材質は、上記以外にも、平板形状の熱可塑性エラストマー、フィルム状樹脂組成物、合成皮革等も使用することができる。これらブラシ片１６、１７、１８、１９に用いられる材質は、単独で使用してもよいし、接合等の方法により組み合わせて使用してもよく、洗車機用洗浄ブラシ１を使用する目的、例えば、汚れを拭き取るためのものか、汚れを擦り取るためのものか、あるいは被洗浄面である車体の汚れを除去すると共に磨くためのものか、またコスト、耐久性等により適宜決定されるものである。
【００３５】
次に、図５を用いて、本発明の洗車機用洗浄ブラシ１による被洗浄面である車体２５に付着している汚れ２８の除去の仕組みを中心に、動作、作用について説明する。なお、汚れ２８は、土砂や埃等の砂塵、煤煙、排気ガスの残渣、舗道から転移するアスファルトやピッチ、ワックスやシリコーン等を主成分とする水垢汚れ、鉄道線路から転移する鉄粉等が混在している。
【００３６】
洗車機用洗浄ブラシ１は、洗車機に装着されてあり、回転しながら、図５（Ａ）の如く、ブラシ片１６が矢印Ａの方向に直進して車体２５に当接する。ブラシ片１６は、傾斜角度θ１を有するスリット６により分割された複数の細分割部７が、車体２５の細かな凹凸部分の汚れ２８を除去する。さらに、細分割部７は、車体２５にたいして斜向した洗浄軌跡を描きながら当接する為、車体２５に接触しないスリット６による切り込み部分が描いた軌跡にも、隣り合わせの細分割部７が、順次、当接し、汚れを取り除くので、ブラシ片１６が車体２５に当接した跡は、図５（Ｂ）の如く、筋状の洗浄残りが発生することが無い。
【００３７】
また、洗車機用洗浄ブラシ１は、複数のブラシ片１６、１７、１８、１９が車体２５に当接する時に、一回転する間に、傾斜角度θ１、θ２、θ３、θ４、θ５、θ６、θ７、θ８の異なるスリット６により分割された複数の細分割部７が当接するよう形成されてあるので、異なる傾斜角度θ１、θ２、θ３、θ４、θ５、θ６、θ７、θ８を有するスリット６により分割された複数の細分割部７が、順次、車体２５に当接する。その為、細分割部７は、車体２５に付着している汚れにたいして、異なる角度から順次、連続的に当接するので、汚れ２８を除去しやすくなる。さらに、スリット６の長さは段差状に形成されてあるので、スリット６により分割された細分割部７は長さが異なり、車体２５にたいして、さまざまな押し付け力を付与することができる為、車体２５に強固に付着しているアスファルトやピッチ、ワックスやシリコーン等を主体とする水垢汚れ、鉄粉等の汚れ２８も剥離しやすくなる。
【００３８】
また、細分割部７は、スリット６が傾斜角度θ１、θ２、θ３、θ４、θ５、θ６、θ７、θ８を有して形成されてある為、回転軸３側から車体２５にたいして線接触にて当接し、徐々に面接触にて車体２５に連続的に当接していくので、洗車時における洗浄音の静音化を図ることができる。
【００３９】
次に、図７（Ａ）から図７（Ｃ）を用いて、他の実施の形態における洗車機用洗浄ブラシについて説明する。
【００４０】
図７（Ａ）において、洗車機用洗浄ブラシ４１は、洗浄側近傍の開放側端部に長さの異なるスリット４６が傾斜角度を有して段差状に設けられてあると共に、スリット４６により分割された複数の細分割部４７を有するブラシ片４２が、図示しないリベット、及び止め金具により回転軸４３に固定されて形成されてある。細分割部４７の端部は、曲線部４８を有する概Ｒ形状にて形成されてある。
【００４１】
図７（Ｂ）において、洗車機用洗浄ブラシ５１は、洗浄側近傍の開放側端部に長さの異なるスリット５６が傾斜角度を有して段差状に設けられてあると共に、スリット５６により分割された複数の細分割部５７を有するブラシ片５２が、図示しないリベット、及び止め金具により回転軸５３に固定されて形成されてある。細分割部５７の端部は、曲線部５８を有する概半円形状にて形成されてある。
【００４２】
図７（Ｃ）において、洗車機用洗浄ブラシ７１は、洗浄側近傍の開放側端部に長さの異なるスリット７６が傾斜角度を有して概Ｓ字状にて段差状に設けられてあると共に、スリット７６により分割された複数の細分割部７７を有するブラシ片７２が、図示しないリベット、及び止め金具により回転軸７３に固定されて形成されてある。細分割部７７の端部は、曲線部７８を有し、概半円形状にて形成されてある。
【００４３】
洗車機用洗浄ブラシ４１、５１、７１は、スリット４６、５６、７６により分割された細分割部４７、５７、７７の端部に曲線部４８、５８、７８を有するので、細分割部４７、５７、７７が車体に当接すると、細分割部４７、５７、７７に形成された曲線部４８、５８、７８により、車体に付着している汚れを掻き取ることができ、洗浄機能が飛躍的に向上する。
【００４４】
次に、図７（Ｄ）、及び図７（Ｅ）を用いて、他の実施の形態におけるブラシ片について説明する。
【００４５】
図７（Ｄ）において、ブラシ片１１２は、洗浄側近傍の開放側端部に長さの異なるスリット１１６が傾斜角度を有して段差状に設けられてあると共に、スリット１１６により分割された複数の細分割部１１７を有し、細分割部１１７の端部は概鋸形状にて形成されてある。
【００４６】
図７（Ｅ）において、ブラシ片１２２は、洗浄側近傍の開放側端部に長さの異なるスリット１２６が傾斜角度を有して段差状に設けられてあると共に、スリット１２６により分割された複数の細分割部１２７を有し、細分割部１２７の端部は概山形状にて形成されてある。
【００４７】
ブラシ片１１２、１２２は上記の如く形成されてあるので、ブラシ片１１２、１２２を回転軸に取付け、洗車機用洗浄ブラシとして用いると、細分割部１１７、１２７の端部は、概鋸形状、概山形状にて形成されてある為、車体に強固に付着している汚れを、掻き出すように除去する。
【００４８】
（実施例２）
図６（Ａ）は、他の実施の形態における洗車機用洗浄ブラシの正面図、図６（Ｂ）は、他の実施の形態におけるブラシ片を前面側から見た斜視図である。
【００４９】
図６（Ａ）において、洗車機用洗浄ブラシ３１は、長手方向の略中央部にて折り合わされたブラシ片３２が、アルミニウム等の金属材料からなる略円筒形状の回転軸３３の外周等分４箇所に設けられた突起状の溝部３５に挿入され、止め金具３８を介して、リベット３４にて固定して形成されてある。ブラシ片３２は、洗浄側近傍の開放側端部にスリット３６が設けられてあると共に、回転軸３３の軸心（Ｃ．Ｌ）の垂線（Ｐ．Ｌ）にたいして、軸心（Ｃ．Ｌ）の長手方向に傾斜角度θ１３、θ１４を有するよう概Ｖ字形状に回転軸３３の溝部３５に装着されてある。
【００５０】
次に、図６（Ｂ）を用いて、ブラシ片３２について、詳述する。ブラシ片３２は、縁部３９にたいして略平行に形成された長さの異なる段差状のスリット３６により分割された複数の細分割部３７が、洗浄側近傍の開放側端部に形成されてある。そして、ブラシ片３２の略中央部にて折り合わされると共に、折り合わされた面の幅Ｗ１と幅Ｗ２が重なり合わないよう概Ｖ字形状を有するよう形成され、回転軸３３の溝部３５に装着される。その為、図６（Ａ）の如く、ブラシ片３２が回転軸３３の軸心（Ｃ．Ｌ）の垂線（Ｐ．Ｌ）にたいして、軸心（Ｃ．Ｌ）の長手方向に傾斜角度θ１３、θ１４を有すると同時に、スリット３６も回転軸３３の軸心（Ｃ．Ｌ）の垂線（Ｐ．Ｌ）にたいして、軸心（Ｃ．Ｌ）の長手方向に傾斜角度θ１３、θ１４を有することになる。傾斜角度θ１３と、傾斜角度θ１４は略同一角度にて形成されてあるが、異なる角度にて設定してもよい。
【００５１】
上記の如くの構成となっている洗車機用洗浄ブラシ３１の動作、作用は下記の通りである。
【００５２】
洗車機用洗浄ブラシ３１は、ブラシ片３２が概Ｖ字形状を有するよう形成されてある為、複数のブラシ片３２が被洗浄面である車体に当接する時、一回転する間に、回転軸３３の軸心（Ｃ．Ｌ）の垂線（Ｐ．Ｌ）にたいして、軸心（Ｃ．Ｌ）の長手方向の一方向に傾斜角度θ１３を有するブラシ片３２、及び回転軸３３の軸心（Ｃ．Ｌ）の垂線（Ｐ．Ｌ）にたいして、軸心（Ｃ．Ｌ）の長手方向の他の方向に傾斜角度θ１４を有するブラシ片３２が当接するよう形成されてあるので、スリット３６により分割されたブラシ片３２の複数の細分割部３７に加えて、ブラシ片３２も車体にたいして斜向した洗浄軌跡を描きながら、順次、連続的に当接することが可能である。その為、洗車時における洗浄機能と静音化が大幅に向上する。
【００５３】
また、ブラシ片３２は、回転軸３３の軸心（Ｃ．Ｌ）の垂線（Ｐ．Ｌ）にたいして、軸心（Ｃ．Ｌ）の長手方向に傾斜角度θ１３、θ１４を有して概Ｖ字形状となるよう、折り合わされた面の幅Ｗ１と幅Ｗ２が重なり合わないように形成されてあるので、前記ブラシ片１６、１７、１８，１９の如く、折り合わされた面の幅が重なり合う場合に比べて、一片のブラシ片３２が車体に当接する際の接触面積を広く確保することができる為、効率よく、迅速に車体を洗浄することができる。
【００５４】
（実施例３）
図８は、本発明の洗車機用洗浄ブラシが搭載されてある洗車機の正面図である。
【００５５】
図８において、洗車機８０は、本発明の洗車機用洗浄ブラシ１が搭載されてあり、前記洗車機用洗浄ブラシ１は駆動源８２により回転駆動される。ノズル８３からは、被洗浄面である車体にたいして、洗浄剤、及び洗浄水等が散布され、洗車機用洗浄ブラシ１により、車体に付着している汚れが除去され、洗浄後は洗車機８０の乾燥手段である乾燥機８４により車体が乾燥される。
【００５６】
洗車機８０は、車体の細かな凹凸部分の汚れを取り除くと共に、筋状の洗浄残りの発生が無い高い洗浄機能を有する洗車機用洗浄ブラシ１が搭載されてある。その為、洗車機８０は、駆動源８２により洗車機用洗浄ブラシ１を低速回転に設定すると共に、洗浄時間を短時間に設定した場合においても、洗浄残りの無い高い洗浄機能が発揮される。
【産業上の利用可能性】
【００５７】
本発明の洗車機用洗浄ブラシは、主に、自動車あるいは車両の外面の被洗浄面に付着した汚れ等を洗浄する為の洗車機に搭載する洗車機用洗浄ブラシとして使用する。
【図面の簡単な説明】
【００５８】
【図１】（Ａ）本発明の洗車機用洗浄ブラシを前面側から見た斜視図、（Ｂ）図１（Ａ）の断面図
【図２】（Ａ）本発明の洗車機用洗浄ブラシのブラシ片を展開した平面図、（Ｂ）本発明の洗車機用洗浄ブラシのブラシ片を展開した平面図、（Ｃ）本発明の洗車機用洗浄ブラシのブラシ片を展開した平面図、（Ｄ）本発明の洗車機用洗浄ブラシのブラシ片を展開した平面図
【図３】（Ａ）他の実施の形態におけるブラシ片を展開した平面図、（Ｂ）他の実施の形態におけるブラシ片を展開した平面図
【図４】（Ａ）ブラシ片の材質の部分拡大図、（Ｂ）ブラシ片の材質を前面側から見た斜視図、（Ｃ）ブラシ片の材質を前面側から見た斜視図
【図５】（Ａ）本発明の洗車機用洗浄ブラシにおける汚れの除去を示す部分拡大平面図、（Ｂ）本発明の洗車機用洗浄ブラシにおける汚れの除去を示す部分拡大平面図
【図６】（Ａ）他の実施の形態における洗車機用洗浄ブラシの正面図、（Ｂ）他の実施の形態におけるブラシ片を前面側から見た斜視図
【図７】（Ａ）他の実施の形態における洗車機用洗浄ブラシの正面図、（Ｂ）他の実施の形態における洗車機用洗浄ブラシの正面図、（Ｃ）他の実施の形態における洗車機用洗浄ブラシの正面図、（Ｄ）他の実施の形態におけるブラシ片の正面図、（Ｅ）他の実施の形態におけるブラシ片の正面図
【図８】本発明の洗車機用洗浄ブラシが搭載されてある洗車機の正面図
【図９】（Ａ）従来技術における汚れの除去を示す部分拡大平面図、（Ｂ）従来技術における汚れの除去を示す部分拡大平面図
【符号の説明】
【００５９】
１、３１、４１、５１、７１  洗車機用洗浄ブラシ
３、３３、４３、５３、７３  回転軸
４、３８  止め金具
５、３５  溝部
６、３６、４６、５６、６６、７６、９６、１０６、１１６、１２６  スリット
７、３７、４７、５７、７７、９７、１０７、１１７、１２７  細分割部
８、９８、１０８  取付け穴
９、３９、６９、９９、１０９  縁部
１０、３４  リベット
１１、２１  不織布
１２、２２  繊維
１３  基部
１４、２４  気泡
１５  起毛部
１６、１７、１８、１９、３２、４２、５２、７２、９２、１０２、１１２、１２２  ブラシ片
２３  合成樹脂発泡体
２５、６５  車体
２８、６８  汚れ
４８、５８、７８  曲線部
６２  洗浄シート片
６３  円孔
６７  細分片
８０  洗車機
８２  駆動源
８３  ノズル
８４  乾燥機
【図１】
2008018793.tif 000003
【図２】
2008018793.tif 000004
【図３】
2008018793.tif 000005
【図４】
2008018793.tif 000006
【図５】
2008018793.tif 000007
【図６】
2008018793.tif 000008
【図７】
2008018793.tif 000009
【図８】
2008018793.tif 000010
【図９】
2008018793.tif 000011